(57)【要約】  少なくとも１つの部分プログラム段階「乾燥」を有する装置を運転するための方法において、少なくとも１つのプログラム段階「乾燥」を有する装置をできるだけ経済的に運転し、この装置が乾燥したい物を効果的に乾燥し、さらにこれに結びついたエネルギ消費をできるだけわずかに保持するためには、本発明により、少なくとも１つの部分プログラム段階「乾燥」で空気が処理室及び／又は周辺空気から吸着コラムを介して、次いで処理室内へ案内される。この場合に吸着コラムは可逆的に脱水可能な材料を有しており、貫通案内の間に空気から湿気を除去する。【特許請求の範囲】
【請求項１】
少なくとも１つの部分プログラム段階「乾燥」を有する装置を運転する方法において、
少なくとも１つの部分プログラム段階「乾燥」で、空気を処理室及び／又は周辺空気から吸着コラムを介して処理室内へ案内し、吸着コラムが、可逆的に脱水可能な材料を有しているようにし、貫通案内の間に空気から湿気を取り除くことを特徴とする、少なくとも１つの部分プログラム段階「乾燥」を有する装置を運転する方法。
【請求項２】
吸着コラムによる貫通案内の間に、空気を凝縮熱により加熱し、必要な場合には加熱装置により付加的に加熱する、請求項１記載の方法。
【請求項３】
可逆的に脱水可能な材料を脱着するために、空気を処理室及び／又は周辺空気から吸着コラムを介して処理室内へ案内し、貫通案内の間に加熱する、請求項１又は２記載の方法。
【請求項４】
加熱したい処理液によるプログラム段階の間に空気の貫通案内を行う、請求項３記載の方法。
【請求項５】
可逆的に脱水可能な材料を脱着するために、脱着コラムを介して空気を案内し、加熱し、次いで冷却のために蓄熱器を介して空気を案内し、次いで加熱のために蓄熱器を介して処理室内へ空気を案内し、これにより、脱着のために使用された熱を蓄熱器内に一時蓄える、請求項１又は２記載の方法。
【請求項６】
脱着のために、吸着コラム又は脱着コラムへの導管内の空気を加熱装置により加熱する、請求項３から５までのいずれか１項記載の方法。
【請求項７】
加熱されて貫通案内された空気により、処理液及び／又は処理物を加熱し、吸着コラムから脱着された湿気を処理室内又は蓄熱器で少なくとも部分的に放出する、請求項３から６までのいずれか１項記載の方法。
【請求項８】
加熱したい処理液による部分プログラム段階、例えば「すすぎ」で、空気を処理室及び／又は周辺空気から、加熱装置がスイッチオフされている場合に吸着コラムを介して処理室内へ案内し、凝縮熱により吸着コラム内で空気を加熱する、請求項１から７までのいずれか１項記載の方法。
【発明の詳細な説明】
【技術分野】
【０００１】
本発明は、例えば洗濯物乾燥機、食器洗浄機、食器乾燥機、靴乾燥機などで使用されるように、少なくとも１つの部分プログラム段階「乾燥」を有する装置を運転する方法に関する。
【０００２】
例えば食器洗浄機内の洗浄物を乾燥するためには種々異なった方法が公知である。例えば、洗浄液が部分プログラム段階「すすぎ」で加熱され、ひいては高温ですすがれた洗浄物がこの洗浄物に発生せしめられた固有熱により部分プログラム段階「乾燥」の間にひとりでに乾く場合には、洗浄物は固有熱乾燥により乾燥させることができる。この固有熱乾燥を達成するためには、洗浄液が部分プログラム段階「すすぎ」で、例えば熱交換器内で所定の温度に加熱され、噴霧装置を介して洗浄物に加えられる。通常は６５℃〜７５℃までの部分プログラム段階「すすぎ」の比較的高い洗浄液温度により、十分に大きい熱量が洗浄物に伝達され、これにより、洗浄物に付着した水は洗浄物内に蓄えられた熱により蒸発する。
【０００３】
食器洗浄機内の洗浄物を乾燥させるための別の公知の方法では、独立した加熱源、例えば熱気ブロワが、湿潤した混合気を乾燥工程時に加熱するために使用され、これにより、洗浄容器内の空気が大量の水を吸収することができるようになっている。
【０００４】
湿気が外側へ放出される食器洗浄機が公知である。このことは、周辺の台所家具が損傷されるので不都合である。
【０００５】
それ故、導出前に湿気が凝縮面を介して案内され、これらの凝縮面で湿気が凝縮される別の方法が公知である。この凝縮水は洗浄容器内又は特別な捕集容器内へ案内される。
【０００６】
ドイツ連邦共和国特許第２０１６８３１号明細書につき、食器洗浄機のための冒頭で述べた形式の方法が公知である。この方法では空気が洗浄容器から、この洗浄容器の壁内に設けられた閉鎖可能な開口を介して、可逆的に脱水可能な材料へ案内され、そこから開口を介して外側へ案内される。可逆的に脱水可能な材料の脱着は装置の停止段階の間に行われ、この場合に生じる水蒸気は開口を介して、やはり再び外側へ導出される。既に上に述べたように、周辺の台所家具が損傷されるのでこのことは不利である。
【０００７】
さらに上に述べた従来技術による上に記載の加熱システムの欠点は、洗浄液の加熱が高い所要エネルギに結びついており、それぞれの加熱段階のために必要とされる熱エネルギが電気的な加熱エレメントにより新たに生ぜしめられなければならないことである。同様に公知の加熱システムは、部分プログラム段階「すすぎ」の洗浄液の加熱並びに部分プログラム段階「乾燥」の工程自体が高い所要エネルギに結びついており、必要とされる熱エネルギは乾燥工程後にはなくなってしまうという欠点を有している。
【０００８】
そこで本発明の課題は、冒頭で述べた形式の装置をできるだけ経済的に運転し、この装置が乾燥したい物をできるだけ効果的に乾燥し、さらにこれに結びついたエネルギ消費をできるだけわずかに保つことが可能な方法を提供することである。
【０００９】
この課題は、請求項１に記載の特徴を有する本発明による方法により解決される。本発明のさらなる発展形が従属請求項に記載されている。
【００１０】
少なくとも１つの部分プログラム段階「乾燥」により装置を運転するための本発明による方法では、少なくとも１つの部分プログラム段階「乾燥」で、空気が処理室及び／又は周辺空気から、吸着コラムを介して処理室内へ導入され、この場合に吸着コラムは可逆的に脱水可能な材料を有しており、貫通案内の間に空気から湿気が除去される。
【００１１】
本方法の有利な構成では、空気は吸着コラムによる貫通案内の間に凝縮熱により加熱され、必要な場合には加熱により付加的に温められる。
【００１２】
吸湿特性を有する可逆的に脱水可能な材料、例えばゼオライトの使用により、部分プログラム段階「乾燥」に先行する部分プログラム段階、例えば食器洗浄機では部分プログラム段階「すすぎ」は通常は不可欠ではない。このことはかなりのエネルギ節約を可能にする。しかしながら、「すすぎ」時に例えば３０℃までの低温に加熱することは依然として有意義である。吸着コラムの内部で熱蒸気の凝縮量が自由になり、この吸着コラムにより空気が加熱されることにより、空気の湿気吸収能力は吸着コラムを介した貫通案内のたびに高められ、このことは乾燥結果の改善及び乾燥時間の短縮をもたらす。部分プログラム段階「乾燥」において吸着コラムによる加熱だけではなく補足的な加熱装置により空気、ひいては例えば食器洗浄機では食器をも付加的に加熱することは通常は必要ない。なぜならば、吸着コラム内で自由になる熱エネルギは、空気を高温、例えば７０℃に加熱するために十分だからである。吸着コラムは凝縮熱によって、高温、例えば１５０℃に加熱される。
【００１３】
有利に閉じられた空気システムでは周辺からの汚染された空気との交換が完全に排除されており、これにより、処理物の再汚染が阻止される。本発明により、冒頭で述べた形式の装置をできるだけ経済的に運転し、この装置が乾燥したい物を効果的に乾燥し、さらにこれに結びついたエネルギ消費をできるだけわずかに保持することが可能な方法が提供されている。
【００１４】
本発明の有利な特徴によれば、可逆的に脱水可能な材料の脱着のために、処理室及び／又は周辺空気からの空気が吸着コラムを介して処理室内へ案内され、貫通案内の間に加熱される。
【００１５】
公知のように、可逆的に脱水可能な材料は脱着のために著しく高い温度に加熱され、この場合に熱エネルギが不可欠である。この場合、蓄えられた液体が熱い水蒸気の形で流出する。水蒸気は有利には気流により装置の処理室内へ案内され、ひいては処理室内の空気を加熱し、これにより、処理液、例えば洗浄溶液及び／又は汚れ除去したい物、例えば食器をも共に加熱する。貫通案内された空気は冷え、これにより、空気中に含まれた水蒸気は完全又は部分的に凝縮される。有利にはこのことは閉じられた空気サイクルの形で行われる。加熱したい又は場合によっては既に加熱された処理液による部分プログラム段階の間に熱い水蒸気及び加熱された空気を処理室内へ導入することは、処理液を十分に加熱するためには一般に十分である。これにより、さらなる加熱は一般に省略することができ、脱着のために使用された熱エネルギは、水と可逆的に脱水可能な材料との間の結合力を克服するために必要とされるわずかなエネルギを除いてはほぼ完全に処理液、例えば洗浄溶液、及び／又は汚れ除去したい物、例えば食器を加熱するために使用することができる。さらにエネルギ節約と並んで、汚れを除去したい処理物の効果的な汚れ除去も保証されている。
【００１６】
別の変化態様では、空気の貫通案内は、加熱したい処理液による部分プログラムステップの間に行われる。
【００１７】
別の構成では、可逆的に脱水可能な材料の脱着のためには空気が吸着コラムを介して案内され、加熱され、この空気は冷却のために蓄熱器を介して案内され、次いで空気は加熱のために蓄熱器を介して処理室内へ案内され、これにより、脱着に使用される熱は蓄熱器内に一時蓄えられる。
【００１８】
付加的な構成では、脱着のためには吸着コラム又は空気は、吸着コラムへの導管内で加熱装置により加熱される。
【００１９】
別の有利な実施態様では、加熱され貫通案内された空気は処理液及び／又は処理物を加熱し、吸着コラムから脱着された湿気は処理室内で、又は蓄熱器で少なくとも部分的に放出される。
【００２０】
さらに、加熱したい処理液による部分プログラム段階、例えば「すすぎ」では、空気が処理室及び／又は周辺空気から、加熱装置がスイッチオンされている場合に吸着コラムを介して処理室内へ案内され、この場合に吸着コラム内の凝縮熱により空気が加熱される。
【００２１】
少なくとも１つの部分プログラム段階「乾燥」を有する装置を運転するための本発明による方法は、説明した実施例では食器洗浄機内で実施される。公知のように、食器洗浄機は洗浄方法を有しており、この洗浄方法のプログラム経過は一般に少なくとも１つの部分プログラム段階「前洗浄」、部分プログラム段階「汚れ除去」、少なくとも１つの部分プログラム段階「中間洗浄」、部分プログラム段階「すすぎ」及び部分プログラム段階「乾燥から成っている。本発明によれば、説明した実施例では少なくとも１つの部分プログラム段階「乾燥」では空気が処理室から、吸着コラムを介して、次いで有利には処理室内へ戻り案内される。
【００２２】
本実施例ではこのために食器洗浄機の処理室、すなわち、洗浄容器に、この洗浄容器の上側領域に流出部が設けられている。この流出部からは空気導管がブロワへ通じており、このブロワから吸着コラムへ通じている。
【００２３】
この吸着コラムは可逆的に脱水可能な材料を有しており、この材料は貫通案内の間に空気から湿気を除去し、この場合に公知のように加熱され、これにより、貫通案内された空気も加熱される。この加熱効果に対して補足的に、空気を加熱装置により付加的に加熱することも可能である。
【００２４】
本実施例では、別の空気導管が吸着コラムから洗浄容器の下側領域に設けられた流入部に通じている。
【００２５】
洗浄容器内へ導入された、加熱された空気は完全に乾燥しており、湿気のための高い吸収能力を有している。この空気は洗浄容器内を上昇し、処理物、すなわち、洗浄物の残留湿気を吸収する。この湿気は、既に上に述べたように、いま再び吸着コラムに供給される。
【００２６】
可逆的に脱水可能な材料の使用により、有利には、例えば食器洗浄機では部分プログラム段階「すすぎ」で処理物を加熱することはもはや不可欠ではない。このことは本質的なエネルギ節約を意味する。空気の加熱により、吸着コラムを介した貫通案内のたびに湿気吸収能力が高められ、このことは、乾燥結果の改善及び乾燥時間の短縮をもたらす。有利には閉じられた空気システムでは、周辺からの汚染された空気との交換が完全に排除されており、これにより、処理された物の再汚染が阻止される。
【００２７】
可逆的に脱水可能な材料は、公知のように制限された液体吸収能力を有している。この材料を再び使用可能にするためには脱着が不可欠であり、この脱着時には可逆的に脱水可能な材料は高温に加熱され、この場合に液体は蒸気の形で流出する。
【００２８】
本発明によれば、可逆的に脱水可能な材料の脱着は有利には加熱したい処理液による部分プログラム段階の間に行われる。
【００２９】
本実施例では、可逆的に脱水可能な材料の脱着は部分プログラム段階「汚れ除去」及び／又は「前洗浄」の間に行われ、これらの部分プログラム段階では、食器洗浄機内では洗浄物が噴霧装置により加熱された処理液、洗浄溶液により負荷される。このためには、例えば吸着コラム内に配置された加熱装置が運転され、この加熱装置は、可逆的に脱水可能な材料を高温に加熱する。
【００３０】
本実施例では、部分プログラム段階「汚れ除去」の間に、上に述べたブロワにより空気が洗浄容器から吸着され、吸着コラム内を圧送される。吸着コラムから流出した熱い水蒸気及びいま温められた空気は、既に上に述べた流入部を介して洗浄容器内へ進入しそこで循環する洗浄溶液及び／又は食器に当たり、この場合に洗浄液は加熱される。
【００３１】
本発明によれば、可逆的に脱水可能な材料の脱着の間に、空気が処理室から、例えば流出部により吸着コラムを介して案内され、次いで例えば流入部により処理室内へ戻り案内され、この場合に空気は貫通案内の間に加熱装置により加熱される。
【００３２】
加熱したい又は場合によっては既に加熱された処理液による部分プログラム段階の間に熱い水蒸気及び加熱された空気を処理室内へ導入することは、処理液及び／又は食器を十分に加熱するためには一般に十分である。これにより、さらなる加熱は一般に省略することができ、脱着のために使用されたエネルギは、水と、可逆的に脱水可能な材料との間の結合力を克服するために必要とされるわずかなエネルギを除いてはほぼ完全に処理液（洗浄溶液）及び／又は食器を加熱するために使用することができる。さらにエネルギ節約と並んで、処理物の効果的な汚れ除去も保証されている。
【００３３】
本発明の別の構成では、可逆的に脱水可能な材料の脱着は、加熱したい処理液による部分プログラム段階の間に行われるのではなく、任意の別の時点で行われ、この場合に、脱着時に自由になるエネルギが、例えば大きい融解熱で液化する媒体を備えた蓄熱器若しくは潜熱蓄え器内に一時蓄えられ、必要に応じて、加熱したい処理液及び／又は食器に放出される。これにより、例えば脱着に使用された熱エネルギが部分プログラム段階で必要とされるよりも大きい場合には、この過剰なエネルギは有利には後の加熱したい処理液による部分プログラム段階で使用される。
【００３４】
既に述べたように、吸着コラムは有利には加熱したい処理液による部分プログラム段階の間に加熱装置によって極めて高い温度、例えば３００℃に加熱され、これにより、吸着コラムは吸収した水を放出する。
【００３５】
部分プログラム段階「乾燥」時にも、吸着コラムは水蒸気又は湿気の凝縮熱により高温、例えば１５０〜２００℃まで加熱される。
【００３６】
これにより、洗浄容器内に導入された乾燥した空気又は湿気を含んだ空気は、食器、例えばプラスチック部分に損傷をもたらす恐れがある。洗浄室内の空気流入温度は、別の構成では冷却により、損傷が生じない程度に減じられなければならない。
【００３７】
部分プログラム段階「乾燥」では、このために残留水を流入開口へ、かつ流入開口の周囲へ案内し、これにより空気流が冷却される。さらに乾燥した温かい空気が水の一部を吸収し、このことは、蒸発冷気に基づき空気流の冷却をもたらす。加熱したい処理液による部分プログラム段階では、流入開口への水飛沫及び水蒸気を含んだ空気流により、熱交換が行われる。有利には流入開口は次のように、すなわち、空気流が直接に食器に当たらずに、水飛沫により空気流の十分な冷却が行われるように設計されている。
【００３８】
吸着コラムを脱着のために加熱するための加熱装置（以下に空気加熱装置と呼ぶ）と並んで、本発明による食器洗浄機は１変化態様（図示していない）では、本発明に基づきこのことが行われない場合には洗浄溶液のための瞬間沸かし器を有している。別の構成では部分プログラム段階「すすぎ」で加熱が不可欠な場合には、このことは従来技術により公知のように瞬間沸かし器により、又はブロワがスイッチオンされている場合には空気加熱装置により達成することができる。空気加熱装置により加熱する場合の利点は、これに続く部分プログラム段階「乾燥」で、吸着コラム内に蓄えられた熱エネルギを乾燥のために使用することができることである。
【００３９】
別の変化態様では、加熱したい処理液による部分プログラム段階、例えば「すすぎ」の間に、空気加熱装置がスイッチオフされている場合にブロワがスイッチオンされる。
【００４０】
これにより、湿潤した空気は、湿気を吸収する吸着コラムを介して案内され、自由になる凝縮エネルギにより、吸着コラムひいては貫通案内された空気も加熱される。これにより、前記凝縮熱は洗浄溶液及び／又は食器を加熱するために使用することができる。吸着コラムは、部分プログラム段階「乾燥」でもなお良好な乾燥結果を得ることができるように設計することができる。
【００４１】
本発明により、冒頭で述べた形式の装置をできるだけ経済的に運転し、乾燥物を効果的に乾燥し、これに結びついたエネルギ消費をできるだけわずかに保持することが可能な方法が提供される。
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
少なくとも１つの部分プログラム段階「乾燥」を有する装置、例えば食器洗浄機を運転する方法であって、少なくとも１つの部分プログラム段階「乾燥」で、空気を処理室及び／又は周辺空気から吸着コラムを介して処理室内へ案内し、吸着コラムが、可逆的に脱水可能な材料を有しているようにし、貫通案内の間に空気から湿気を除去する形式の方法において、可逆的に脱水可能な材料を脱着するために、空気を、処理室及び／又は周辺空気から吸着コラムを介して処理室内へブロワにより案内し、貫通案内の間に加熱し、これにより、処理液、例えば洗浄溶液及び／又は汚れ除去したい物、例えば食器をも加熱することを特徴とする、少なくとも１つの部分プログラム段階「乾燥」を有する装置、例えば食器洗浄機を運転する方法。
【請求項２】
吸着コラムによる貫通案内の間に、空気を凝縮熱により加熱し、必要な場合には加熱装置により付加的に加熱する、請求項１記載の方法。
【請求項３】
加熱したい処理液によるプログラム段階の間に空気の貫通案内を行う、請求項１又は２記載の方法。
【請求項４】
可逆的に脱水可能な材料を脱着するために、脱着コラムを介して空気を案内し、加熱し、次いで冷却のために蓄熱器を介して空気を案内し、次いで加熱のために蓄熱器を介して処理室内へ空気を案内し、これにより、脱着のために使用された熱を蓄熱器内に一時蓄える、請求項１又は２記載の方法。
【請求項５】
脱着のために、吸着コラム又は脱着コラムへの導管内の空気を加熱装置により加熱する、請求項１から４までのいずれか１項記載の方法。
【請求項６】
加熱されて貫通案内された空気により、処理液及び／又は処理物を加熱し、吸着コラムから脱着された湿気を処理室内又は蓄熱器で少なくとも部分的に放出する、請求項４又は５記載の方法。
【請求項７】
加熱したい処理液による部分プログラム段階、例えば「すすぎ」で、空気を処理室及び／又は周辺空気から、加熱装置がスイッチオフされている場合に吸着コラムを介して処理室内へ案内し、凝縮熱により吸着コラム内で空気を加熱する、請求項１から６までのいずれか１項記載の方法。
【国際調査報告】
2007533940.tif 000002
2007533940.tif 000003
2007533940.tif 000004
2007533940.tif 000005
2007533940.tif 000006
2007533940.tif 000007